(57)【要約】  【課題】密閉容器内に冷媒と相溶性のあるオイルを有する圧縮機に関し、起動初期に発生する気泡の吸い込みによる騒音発生を防止する。  【解決手段】密閉容器１０２内の底部に冷媒と相溶性のあるオイル１０８を貯留するとともに、固定子１０４と回転子１０４ａからなる電動要素１０３と、電動要素１０３によって駆動されるとともに密閉容器１０２内に開口する冷媒吸入口１１０を有する圧縮要素１０３を収納し、密閉容器１０２の内部に先端が尖った気泡消滅手段を備える。【選択図】図１
2006200399.tif 000002
【特許請求の範囲】
【請求項１】
密閉容器内の底部に冷媒と相溶性のあるオイルを貯留するとともに、固定子と回転子からなる電動要素と、前記電動要素によって駆動されるとともに前記密閉容器内に開口する冷媒吸入口を有する圧縮要素を収納し、前記密閉容器の内部に先端が尖った気泡消滅手段を設けた圧縮機。
【請求項２】
気泡消滅手段を設けたフィルムを、固定子ボルトに固定するとともに、固定子の外周と密閉容器の内面に介在させた請求項１に記載の圧縮機。
【請求項３】
気泡消滅手段はフィルムに設けた星状の突起を有する孔から形成される請求項２に記載の圧縮機。
【請求項４】
気泡消滅手段を冷媒吸込口の周囲に設けた請求項１に記載の圧縮機。
【請求項５】
圧縮要素に樹脂から形成され、冷媒吸込口を有する吸入マフラーを備えるとともに、気泡消滅手段を前記冷媒吸込口の周囲に設けた針状の突起にて形成した請求項４に記載の圧縮機。
【発明の詳細な説明】
【技術分野】
【０００１】
本発明は圧縮機のオイルに溶け込んだ冷媒の発泡により発生する気泡を消滅させる技術に関するものである。
【背景技術】
【０００２】
近年、冷凍機器分野において、高効率とともに低騒音の圧縮機が提案されている（例えば、特許文献１参照）。
【０００３】
以下、図面を参照しながら上記従来の圧縮機について説明する。
【０００４】
図７は、従来の圧縮機の断面図である。図７において圧縮機１は密閉容器２の内部に圧縮要素３を上方に、下方に固定子４ａと回転子４ｂからなる電動要素４を一体にした圧縮ユニット５をスプリング６にて弾性支持しており、密閉容器２の底部にはオイル６ａを貯留する。
【０００５】
ここで冷媒は、炭化水素系のＲ６００ａやＲ２９０で、オイル６ａは鉱油あるいはアルキルベンゼンである。
【０００６】
シリンダブロック７の軸受８には、クランクシャフト９が回転自在に遊嵌され、クランクシャフト９の偏芯部１０には、コンロッド１１を介してピストン１２が連結しており、圧縮室１２ａは、シリンダブロック７とピストン１２により冷媒を吸入圧縮する空間を形成している。
【０００７】
バルブプレート１３に設けた吸入孔１４は、リード弁１５によって開閉され、シリンダヘッド１６により係止された吸入マフラー１７の開口端１７ａと対抗している。
【０００８】
吸入マフラー１７は、開口端１７ａから管路１８を通って密閉容器２の内部に開口する冷媒吸入口２０に連通しており、冷媒吸入口２０は、密閉容器２に貫通した吸入パイプ２１と対抗している。
【０００９】
以上のように構成された従来の圧縮機について以下その動作を説明する。
【００１０】
圧縮ユニット５の電動要素４に通電がなされると、回転子４ｂと回転子４ｂに固着されたクランクシャフト９が回転し、クランクシャフト９の偏芯部１０に連結されたコンロッド１１により、回転運動がピストン１２の往復運動に変換され、圧縮室１２ａで冷媒の吸入と吐出を繰り返し、圧縮された冷媒が冷凍システム（図示せず）に吐出されることで所定の圧縮動作を行う。
【００１１】
また、密閉容器２の圧力が低下すると、密閉容器２の底部に貯留されるオイル６ａに溶け込んでいる冷媒が沸騰して発泡し、表面をオイル６ａで覆われた気泡となって密閉容器２内に充満して行き、圧縮ユニット５が運転を開始してからしばらくの間はそのような状態が続く。
【特許文献１】特開平９−２２８９５０号公報
【発明の開示】
【発明が解決しようとする課題】
【００１２】
しかしながら上記従来の構成は、圧縮ユニット５が運転を開始してからしばらくの間、密閉容器２内に表面をオイル６ａで覆われた気泡が充満し、密閉容器２の内部に開口した吸入マフラー１７の冷媒吸入口２０から気泡を吸込むので、吸入マフラー１７の内部に入った気泡が吸入マフラー１７の内部空間を減らす事となり吸入マフラー１７の消音機能が損なわれ騒音を増大していた。
【００１３】
また、気泡としてオイル６ａが、吸入マフラー１７の管路１８、開口端１７ａ、バルブプレート１３の吸入孔１４を通って圧縮室１２ａに吸込まれる事により圧縮室１２ａ内でオイル６ａが圧縮され、オイル６ａの圧縮による騒音の発生やオイル圧縮による負荷の増加で、騒音が増大したり、摺動部やバルブの損傷を起し、信頼性が低下する課題を有していた。
【００１４】
上記課題は、特に冷媒が炭化水素系のＲ６００ａやＲ２９０とオイル６ａが鉱油あるいはアルキルベンゼンの場合、相溶性が高いためオイル６ａに溶け込んでいる冷媒量も多く気泡の発生が顕著であり課題が大きかった。
【００１５】
本発明は、上記従来の課題を解決するもので、騒音が増大することの無い、信頼性の高い圧縮機を提供することを目的とする。
【課題を解決するための手段】
【００１６】
上記従来の課題を解決するために、本発明の圧縮機は、電動要素によって駆動されるとともに密閉容器内に開口する冷媒吸入口を有する圧縮要素を収納し、密閉容器の内部に先端が尖った気泡消滅手段を設けたものであり、圧縮機が起動してしばらくの間、密閉容器の底に貯留されたオイルに溶け込んだ冷媒が発泡し、密閉容器内に気泡として充満していくが、先端が尖った気泡消滅手段が気泡を壊していくので冷媒吸入口から吸入される気泡が無くなるか若しくは激減する。
【００１７】
また、気泡を吸込むことによる吸入マフラー内の空間容積の減少が無くなる。
【発明の効果】
【００１８】
本発明の圧縮機は、オイル圧縮による騒音増大や、オイル圧縮による負荷の増大での摺動部やバルブの損傷が無くなり、騒音が増大することの無い、信頼性の高い圧縮機を提供出来るという効果が得られる。
【発明を実施するための最良の形態】
【００１９】
本発明の請求項１に記載の発明は密閉容器内の底部に冷媒と相溶性のあるオイルを貯留するとともに、固定子と回転子からなる電動要素と、前記電動要素によって駆動されるとともに前記密閉容器内に開口する冷媒吸入口を有する圧縮要素を収納し、前記密閉容器の内部に先端が尖った気泡消滅手段を設けたもので、圧縮機の起動時に密閉容器内の圧力が下がり、オイルに溶け込んだ冷媒が発泡することにより生じた表面がオイルで覆われた気泡が、先端が尖った気泡消滅手段の尖った先端によって壊れて消滅するので、冷媒吸入口からオイルで覆われた気泡を吸込むことが無くなるか若しくは激減し、オイルの圧縮により発生する騒音の増加や摺動部やバルブの損傷の発生も無くなり、信頼性の高い圧縮機を提供できるという効果が得られる。
【００２０】
本発明の請求項２に記載の発明は、請求項１に記載の発明の気泡消滅手段を設けたフィルムを、固定子ボルトに固定するとともに、固定子の外周と密閉容器の内面に介在させたもので、固定子と密閉容器の間に介在する気泡消滅手段を設けたフィルムが、密閉容器の底部から発生する表面がオイルに覆われた気泡を消滅させ、密閉容器内に開口する冷媒吸入口から気泡を吸込むことがなくなるので、騒音の増加が無くなり、気泡消滅手段を設けたフィルムが固定子ボルトで確実に固定されるので、騒音の増加が無く、信頼性の高い圧縮機が確実に提供できるという効果が得られる。
【００２１】
本発明の請求項３に記載の発明は、請求項２の発明の気泡消滅手段をフィルムに設けた星状の突起を有する孔で形成したもので、星状の突起をフィルムにパンチングで形成するなどの方法で簡単に製造できるので非常に安価であり、騒音の増加の無い、信頼性の高い圧縮機を安価に提供できるという効果を有する。
【００２２】
本発明の請求項４に記載の発明は、請求項１に記載の発明の気泡消滅手段を冷媒吸込口の周囲に設けたもので、冷媒吸入口の直前で気泡消滅手段により気泡が壊れるので、オイルの圧縮により発生する騒音の増加や摺動部やバルブの損傷の発生も無くなり、騒音増加の無い、信頼性の高い圧縮機を提供できるという効果が得られる。
【００２３】
本発明の請求項５に記載の発明は、請求項４に記載の発明に圧縮要素に樹脂から形成され、冷媒吸込口を有する吸入マフラーを備えるとともに、気泡消滅手段を冷媒吸込口の周囲に設けた針状の突起にて形成したもので、冷媒吸入口の周囲の針状の突起によって、表面がオイルである気泡が壊れて消滅するので、冷媒吸入口からオイルを吸込むことが無くなり、吸入マフラーの内容積の減少による騒音の増加や、オイルの圧縮により発生する騒音の増加および摺動部やバルブの損傷の発生も無くなり、騒音の増加の無い、信頼性の高い圧縮機を提供できるという効果が得られる。
【００２４】
また、吸入マフラーの冷媒吸入口の周囲に針状の突起を形成するだけなので非常に安価である。
【００２５】
以下、本発明による圧縮機の実施の形態について、図面を参照しながら説明する。なお、この実施の形態によってこの発明が限定されるものではない。
【００２６】
（実施の形態１）
図１、図２は本発明の実施の形態１による圧縮機の断面図、図３は同実施の形態の気泡消滅手段を設けたフィルムの平面図、図４は同実施の形態の図３の気泡消滅手段の要部拡大図である。
【００２７】
図１、図２において圧縮機１０１は、密閉容器１０２の内部に圧縮要素１０３を上方に、固定子１０４と回転子１０４ａからなる電動要素１０５を下方に有する圧縮ユニット１０６をスプリング１０７で弾性支持しており、密閉容器１０２の底部には、オイル１０８を有している。またオイル１０８内の冷媒が沸騰することによる発泡で生じる気泡を１０８ａで示している。
【００２８】
吸入マフラー１０９は、密閉容器１０２の内部に冷媒吸入口１１０を開口し、冷媒吸入口１１０から尾管１１１、吸入マフラー１０９の内部空間、主管１１２を通ってバルブプレート１１２ａの吸入孔１１３から圧縮室１１３ａに連通している。
【００２９】
フィルム１１４は気泡消滅手段１１４ａを形成する孔１１５を有し、固定子１０４に固定子ボルト１１６で取り付けられている。
【００３０】
図３は、気泡消滅手段１１４ａを有するフィルム１１４の平面図で、フィルム１１４に気泡消滅手段１１４ａを形成する孔１１５が複数明いている。
【００３１】
図４は、図３の気泡消滅手段１１４ａの拡大図であり、気泡消滅手段１１４ａは孔１１５と複数の先端が尖った突起１１７を有する。
【００３２】
以上のように構成された圧縮機について、以下その動作を説明する。
【００３３】
圧縮ユニット１０６の電動要素１０５に通電がなされると、回転子１０４ａは回転し、圧縮要素１０３は所定の吸入圧縮動作を行う。吸入圧縮が開始されると密閉容器１０２内の圧力は低下し、冷媒が吸入マフラー１０９の冷媒吸入口１１０より吸込まれ、尾管１１１、吸入マフラー１０９の内部空間、主管１１２を通ってバルブプレート１１２ａの吸入孔１１３から圧縮室１１３ａに吸い込まれる。
【００３４】
また、密閉容器１０２の圧力が下がるとオイル１０８に溶け込んだ冷媒が沸騰することにより発泡し、表面をオイル１０８に覆われた細かい気泡１０８ａが次から次に発生する。
【００３５】
発生した気泡１０８ａは、フィルム１１４の孔１１５を通って上昇しようとするが、複数の先端が尖った突起１１７を有する気泡消滅手段１１４ａによってオイル１０８の表面張力による気泡１０８ａの膜が破れ、気泡１０８ａは消滅し、吸入マフラー１０９の吸込口１１０までは到達せず、表面がオイル１０８の膜である気泡１０８ａを吸込まないので、オイルの圧縮により発生する騒音の増加や摺動部やバルブの損傷の発生も無くなり、騒音の増加の無い、信頼性の高い圧縮機を提供できた。
【００３６】
また、フィルム１１４は、ポリエチレンテレフタレートやポリエチレンナフタレートなどの耐冷媒材料を用い、気泡消滅手段１１４ａの例えば星状の突起１１７を有する孔１１５をパンチングなどの方法で簡単に形成できるので非常に安価に騒音の増加の無い、信頼性の高い圧縮機を提供できる。
【００３７】
また、フィルム１１４は、固定子ボルト１１６で固定することで確実に固定ができ製造も容易である。
【００３８】
（実施の形態２）
図５は本発明の実施の形態２による圧縮機の断面図、図６は同実施の形態の気泡消滅手段を設けた冷媒吸入口の拡大図である。
【００３９】
図５において圧縮機２０１は、密閉容器２０２の内部に圧縮要素２０３を上方に、固定子２０４と回転子（図示せず）からなる電動要素２０５を下方に有する圧縮ユニット２０６をスプリング２０７で弾性支持しており、密閉容器２０２の底部には、オイル２０８を有している。またオイル２０８内の冷媒が沸騰して発泡することにより生じる気泡を２０８ａで示している。
【００４０】
吸入マフラー２０９はポリブチレンテレフタレート等の樹脂で形成され、密閉容器２０２の内部に冷媒吸入口２１０を開口し、冷媒吸入口２１０から尾管２１１、吸入マフラー２０９の内部空間、主管２１２を通ってバルブプレート（図示せず）の吸入孔２１３から圧縮室（図示せず）に連通している。
【００４１】
冷媒吸入口２１０の周囲には、気泡消滅手段２１４が設けられている。
【００４２】
図６は冷媒吸入口２１０の周囲の拡大図で、気泡消滅手段２１４は、冷媒吸入口２１０の周りを囲むように設けた複数の針状の突起２１５である。
【００４３】
以上のように構成された圧縮機について、以下その動作を説明する。
【００４４】
圧縮ユニット２０６の電動要素２０５に通電がなされると、回転子（図示せず）は回転し、圧縮要素２０３は所定の吸入圧縮動作を行う。吸入圧縮が開始されると密閉容器２０２内の圧力は低下し冷媒が吸入マフラー２０９の冷媒吸入口２１０より吸込まれ、尾管２１１、吸入マフラー２０９の内部空間、主管２１２を通ってバルブプレート（図示せず）の吸入孔２１３から圧縮室（図示せず）に吸い込まれる。
【００４５】
また、密閉容器２０２の圧力が下がるとオイル２０８に溶け込んだ冷媒が沸騰して発泡し、表面をオイル２０８に覆われた細かい気泡２０８ａが次から次に発生する。
【００４６】
発生した気泡２０８ａは次第に密閉容器２０２の内部空間を上昇し、吸入マフラー２０９の冷媒吸入口２１０の周囲まで到達するが、冷媒吸入口２１０の周囲に設けられた気泡消滅手段２１４の先端が尖った針状の突起２１５によってオイル２０８の表面張力による気泡２０８ａの膜が破れ、気泡２０８ａは消滅し、吸入マフラー２０９の冷媒吸込口２１０までは到達せず、表面がオイル２０８の膜である気泡２０８ａを吸込まないので、オイルの圧縮により発生する騒音の増加や摺動部やバルブの損傷の発生も無くなり、騒音の増加の無い、信頼性の高い圧縮機を提供できた。
【００４７】
また、吸入マフラー２０９の吸入口２１０より気泡２０８ａを吸い込まないので、吸入マフラー２０９の空間容積が気泡２０８ａにより減少し、吸入マフラー２０９の消音機能が損なわれ、騒音が増大する現象が無くなり、低騒音の圧縮機を提供できた。
【産業上の利用可能性】
【００４８】
以上のように、本発明にかかる圧縮機は、圧縮機の起動初期に発生するオイルの膜で覆われた気泡を吸い込むことが無いので、騒音の増加の無い、信頼性の高い圧縮機を提供でき、家庭用冷蔵庫を初めとして、除湿機やショーケース、自動販売機、空調機器等の冷凍サイクル用途にも適用できる。
【図面の簡単な説明】
【００４９】
【図１】本発明の実施の形態１による圧縮機の断面図
【図２】同実施の形態の圧縮機の断面図
【図３】同実施の形態の気泡消滅手段を設けたフィルムの平面図
【図４】同実施の形態の気泡消滅手段の要部拡大図
【図５】本発明の実施の形態２による圧縮機の断面図
【図６】同実施の形態の気泡消滅手段を設けた冷媒吸入口の拡大図
【図７】従来の圧縮機の断面図
【符号の説明】
【００５０】
１０１，２０１  圧縮機
１０２  密閉容器
１０３，２０３  圧縮要素
１０４  固定子
１０４ａ  回転子
１０５  電動要素
１０８，２０８  オイル
１１０，２１０  冷媒吸入口
１１４  フィルム
１１４ａ，２１４  気泡消滅手段
１１５  孔
１１７，２１５  突起
２０９  吸入マフラー
【図１】
2006200399.tif 000003
【図２】
2006200399.tif 000004
【図３】
2006200399.tif 000005
【図４】
2006200399.tif 000006
【図５】
2006200399.tif 000007
【図６】
2006200399.tif 000008
【図７】
2006200399.tif 000009